(57)【要約】【課題】フレーム部材３１を有する中間転写ユニット３０を備えた画像形成装置において、該中間転写ユニット３０の上側に配置される５０ａの冷却性を十分に確保しつつ画像形成装置全体を小型化する。【解決手段】フレーム部材３１は、各トナーコンテナ５０ａ〜５０ｄの下端部を受け入れる複数の凹部３７ａ〜３７ｄが形成され且つ上記中間転写ユニット３０の上面を覆うように配置された上側フレーム部３３を有し、上記複数の凹部３７ａ〜３７ｄのうちの一の凹部３７ｄを形成する壁部には通風孔４０が形成されており、上側フレーム部３３には、一の凹部３７ｄに対して壁部３８を挟んで反対側に配置され、通風孔４０を介して凹部３７ｄに連通する通風路４１が形成されており、通風路４１内の空気を通風孔４０から上記一の凹部３７ｄ側に排出させる送風ファンをさらに備えている。【選択図】図４
2016122088.tif 000002
【特許請求の範囲】
【請求項１】
フレーム部材と該フレーム部材に支持された駆動ローラー及びテンションローラーと該両ローラーに掛け回される中間転写ベルトとを有する中間転写ユニットと、該中間転写ユニットの下側に配置され、上記中間転写ベルトの進行方向に沿って並ぶ複数の画像形成ユニットと、上記各画像形成ユニットのそれぞれに対応して上記中間転写ベルトの上側に設けられ、該各画像形成ユニットにトナーを供給する複数のトナーコンテナと、を備えた画像形成装置であって、
上記フレーム部材は、上記各トナーコンテナの下端部を受け入れる複数の凹部が形成され且つ上記中間転写ベルトの上面を覆うように配置された上側フレーム部を有し、
上記複数の凹部のうちの一の凹部を形成する壁部には通風孔が形成されており、
上記上側フレーム部には、上記一の凹部に対して上記壁部を挟んで反対側に配置され、上記通風孔を介して上記一の凹部に連通する通風路が形成されており、
上記通風路内の空気を上記通風孔から上記一の凹部側に排出させる送風ファンをさらに備えている、画像形成装置。
【請求項２】
請求項１記載の画像形成装置において、
上記中間転写ユニットには、上記フレーム部材に回動可能に支持されると共に上記テンションローラーに対して上記中間転写ベルトを挟んで対向配置され、該中間転写ベルトの外周面に当接することで該外周面に付着した残トナーを除去するクリーニング部材を備え、
上記一の凹部は、上記クリーニング部材の上側に位置する凹部である画像形成装置。
【請求項３】
上記請求項１又は２記載の画像形成装置において、
上記上側フレーム部には、隣合う上記各凹部同士を連通させる連通孔が形成されている、画像形成装置。
【請求項４】
請求項１乃至３のいずれか一項に記載の画像形成装置において、
上記中間転写ユニットは、画像形成装置本体の所定箇所に着脱可能になっており、
上記通風孔は、上記中間転写ユニットの着脱に際して手の指を挿通可能に形成されている、画像形成装置。
【請求項５】
請求項１乃至４のいずれか一項に記載の画像形成装置において、
上記一の凹部は、平面視で上記中間転写ベルトの進行方向に直交するベルト幅方向に延びるように形成されており、
上記フレーム部材における上記一の凹部を形成する壁部のうち上記通風孔のベルト幅方向の両端に隣接する部分は、トナーコンテナの挿入をガイドするガイド壁部として機能する、画像形成装置。
【請求項６】
請求項１乃至５のいずれか一項に記載の画像形成装置において、
上記通風孔は、上記中間転写ベルトの進行方向に直交するベルト幅方向に延びる長孔状に形成されており、
上記通風路の上壁面における上記通風孔に隣接する部分には、上記ベルト幅方向に互いに間隔を空けて配置され、該通風路内の気流を通風孔へと案内する縦板部が形成され、  
互いに隣接する上記縦板部同士の間隔は、上記通風路の内方側から上記通風孔側に向かうにしたがって増加する、画像形成装置。
【請求項７】
請求項６に記載の画像形成装置において、
上記各縦板部の下端面は、上記通風孔側から上記通風路の内方側に向かって上側に湾曲している、画像形成装置。
【発明の詳細な説明】
【技術分野】
【０００１】
本発明は、画像形成装置に関する。
【背景技術】
【０００２】
従来より、中間転写ユニットを備えた画像形成装置は知られている。中間転写ユニットは、駆動ローラーとテンションローラーと両ローラーに掛け回される中間転写ベルトとをフレーム部材を介してユニット化したものである。中間転写ユニットの下側には、中間転写ベルトの進行方向に沿って並ぶ複数の画像形成ユニットが設けられている。画像形成時には、複数の画像形成ユニットにより形成された各色のトナー像が一次転写ローラーにより中間転写ベルトに順次転写される。転写されたトナー像は、二次転写ローラーにより用紙に対して一度に転写される。中間転写ベルトの上側には、各画像形成ユニットに対応する色のトナーが収容された複数のトナーコンテナが配置されている。
【０００３】
ここで、画像形成装置には定着部などの種々の熱源が存在するため、この熱源からの熱によりトナーコンテナ内が暖められてトナーの凝縮が生じるという問題がある。
【０００４】
この問題を解決するべく、例えば特許文献１に示す画像形成装置では、トナーコンテナと該トナーコンテナの上側に位置する排紙トレイとの間に通風路を形成し、この通風路に送風ファンで気流を発生させることで各トナーコンテナを冷却するようにしている。
【先行技術文献】
【特許文献】
【０００５】
【特許文献１】特開２０１０−６６４２９号公報
【発明の概要】
【発明が解決しようとする課題】
【０００６】
しかしながら、上記特許文献１に示す画像形成装置では、トナーコンテナと排紙トレイとの間に通風路を確保する必要があるので、画像形成装置の高さが通風路の高さ分だけ高くなり、画像形成装置全体が大型化するという問題がある。
【０００７】
本発明は、かかる点に鑑みてなされたものであり、その目的とするところは、トナーコンテナの冷却性を十分に確保しつつ画像形成装置全体を小型化しようとすることにある。
【課題を解決するための手段】
【０００８】
本発明に係る画像形成装置は、フレーム部材と該フレーム部材に支持された駆動ローラー及びテンションローラーと該両ローラーに掛け回される中間転写ベルトとを有する中間転写ユニットと、該中間転写ユニットの下側に配置され、上記中間転写ベルトの進行方向に沿って並ぶ複数の画像形成ユニットと、上記各画像形成ユニットのそれぞれに対応して上記中間転写ベルトの上側に設けられ、該各画像形成ユニットにトナーを供給する複数のトナーコンテナと、を備えている。
【０００９】
そして、上記フレーム部材は、上記各トナーコンテナの下端部を受け入れる複数の凹部が形成され且つ上記中間転写ベルトの上面を覆うように配置された上側フレーム部を有し、上記複数の凹部のうちの一の凹部を形成する壁部には通風孔が形成されており、上記上側フレーム部には、上記一の凹部に対して上記壁部を挟んで反対側に配置され、上記通風孔を介して上記一の凹部に連通する通風路が形成されており、上記通風路内の空気を上記通風孔から上記一の凹部側に排出させる送風ファンをさらに備えている。
【００１０】
この構成によれば、複数の凹部のうちの一の凹部を形成する壁部には通風孔が形成されており、送風ファンが作動することで該壁部に隣接する通風路内の空気が通風孔から上記一の凹部へと吹き出される。これにより、該一の凹部に設けられたトナーコンテナの下端部を、通風孔から吹き出される空気流によって効率良く冷却することができる。したがって、該トナーコンテナ内のトナーが熱で凝縮するのを抑制することできる。また、この通風孔を人の手の指が入る程度の大きさに形成しておくことで、通風孔の周縁部を持手部として利用することができる。したがって、中間転写ユニットのメンテナンス作業を容易に行うことができる。また、上記構成によれば、上記冷却風の通路である通風路が中間転写ユニットに一体形成されているので、画像形成装置全体を小型化することができる。
【００１１】
上記中間転写ユニットには、上記フレーム部材に回動可能に支持されると共に上記テンションローラーに対して上記中間転写ベルトを挟んで対向配置され、該中間転写ベルトの外周面に当接することで該外周面に付着した残トナーを除去するクリーニング部材を備え、  上記一の凹部は、上記クリーニング部材の上側に位置する凹部であることが好ましい。
【００１２】
このように、中間転写ベルトの外周面に当接するクリーニング部材を備えるようにした場合、クリーニング部材と中間転写ベルトとの当接部において摩擦熱が発生する。このため、クリーニング部材の上側に位置する凹部はこの摩擦熱によって加熱されるので、当該凹部に設けられたトナーコンテナ内のトナーが凝縮し易いという問題がある。これに対して上記構成では、摩擦熱の影響を受け易いクリーニング部材の上側の凹部が、通風孔を有する上記一の凹部とされているので、当該凹部に設けられたトナーコンテナの下端部を通風孔からの空気流により冷却することができる。したがって、該トナーコンテナ内のトナーがクリーニング部材の摩擦熱によって凝縮するのを防止することができる。
【００１３】
上記上側フレーム部には、隣合う上記各凹部同士を連通させる連通孔が形成されていることが好ましい。
【００１４】
この構成によれば、上記通風孔から上記一の凹部に供給される空気流を、上記各連通孔を通じて他の凹部にも供給することができる。したがって、各凹部に設けられたトナーコンテナ全てを万遍なく冷却することができる。
【００１５】
上記中間転写ユニットは、画像形成装置本体の所定箇所に着脱可能になっており、上記通風孔は、上記中間転写ユニットの着脱に際して手の指を挿通可能に形成されていることが好ましい。
【００１６】
この構成によれば、ユーザーが通風孔から通風孔内に手の指を入れて通風孔の周縁部を掴むことができる。よって、中間転写ユニットの着脱作業を容易に行うことができ、延いてはそのメンテナンス作業を容易に行うことができる。
【００１７】
上記一の凹部は、平面視で上記中間転写ベルトの進行方向に直交するベルト幅方向に延びるように形成されており、上記フレーム部材における上記一の凹部を形成する壁部のうち上記通風孔のベルト幅方向の両端に隣接する部分は、トナーコンテナの挿入をガイドするガイド壁部とされていることが好ましい。
【００１８】
この構成によれば、通風孔のベルト幅方向の両側の壁部がトナーコンテナの挿入をガイドするガイド壁部として機能する。したがって、該トナーコンテナの挿入作業（装着作業）を容易に行うことができる。
【００１９】
上記通風孔は、上記中間転写ベルトの進行方向に直交するベルト幅方向に延びる長孔状に形成されており、上記通風路の上壁面における上記通風孔に隣接する部分には、上記ベルト幅方向に互いに間隔を空けて配置され、上記通風路内の気流を通風孔へと案内する縦板部が形成され、互いに隣接する上記縦板部同士の間隔は、上記通風路の内方側から上記通風孔側に向かうにしたがって増加することが好ましい。
【００２０】
この構成によれば、通風路内の空気を、複数の縦板部によって通風孔に確実に案内することができる。また、この縦板部の間隔を通風孔側に向かうほど増加させるようにしたことで、ディフューザー効果によって、通風路内の空気を通風孔のベルト幅方向の全体から万遍なく吹き出させることができる。よって、トナーコンテナの下端部全体を均一に冷却することができ、トナーコンテナ内のトナーが局所的に凝縮するのを防止することができる。
【００２１】
上記各縦板部の下端面は、上記通風孔側から上記通風路の内方側に向かって上側に湾曲していることが好ましい。
【００２２】
この構成によれば、中間転写ユニットの着脱時に、通風孔から入れた手の指を適度に曲げてその腹を各縦板部の下端面に容易に押し当てることができる。よって、中間転写ユニットの着脱作業を容易に行うことができる。
【発明の効果】
【００２３】
本発明によれば、トナーコンテナの冷却性を十分に確保しつつ画像形成装置全体を小型化することができる。
【図面の簡単な説明】
【００２４】
【図１】図１は、実施形態における画像形成装置の内部構造を示す概略図である。
【図２】図２は、画像形成装置から上部カバー及びトナーコンテナを取外した状態を示す斜視図である。
【図３】図３は、中間転写ユニットを示す縦断面図である。
【図４】図４は、中間転写ユニットの左側端部を拡大して示す拡大断面図である。
【図５】図５は、中間転写ユニットを示す上側から見た平面図である。
【図６】図６は、図４のV部の拡大図である。
【図７】図７は、実施形態２を示す図４相当図である。
【図８】図８は、実施形態２を示す図５相当図である。
【図９】図９は、実施形態２を示す図６相当図である。
【図１０】図１０は、他の実施形態を示す図３相当図である。
【発明を実施するための形態】
【００２５】
以下、本発明の実施形態を図面に基づいて詳細に説明する。尚、本発明は、以下の実施形態に限定されるものではない。
【００２６】
図１は、この発明の実施形態に係る画像形成装置１の概略構成図を示す。以下の説明において、「前側」、「後側」は、画像形成装置１の前側、後側を意味し、「左側」、「右側」は、画像形成装置１を前側から見たときの左側、右側を意味する。
【００２７】
上記画像形成装置１は、タンデム方式のカラープリンターであって、画像形成装置本体２と該本体２内に収容された画像形成部３とを備えている。
【００２８】
この画像形成部３は、ネットワーク接続等がされたコンピューター等の外部機器から伝送されてくる画像データーに基づき画像を記録紙Ｐに転写形成する部署である。画像形成部３の下側には、レーザー光を照射する露光装置４が配置され、画像形成部３の上側には、中間転写ベルト５を有する中間転写ユニット３０が配置されている。中間転写ユニット３０の上側には、４つのトナーコンテナ５０ａ〜５０ｄが転写ベルト５に沿って配置されている。露光装置４の下側には、記録紙Ｐを貯留する用紙貯留部６が配置され、用紙貯留部６の側方には、手差し給紙部７が配置されている。中間転写ベルト５の側方上部には、記録紙Ｐに転写形成された画像に定着処理を施す定着部８が配置されている。符号９は、ケーシング２上部に配置され、定着部８で定着処理が施された記録紙Ｐを排出する用紙排出部である。
【００２９】
画像形成部３は、中間転写ベルト５に沿って一列に配置された４つの画像形成ユニット１０ａ〜１０ｄを備えている。画像形成ユニット１０ａはブラックのトナー像を形成し、画像形成ユニット１０ｂはイエローのトナー像を形成し、画像形成ユニット１０ｃはマゼンタのトナー像を形成し、画像形成ユニット１０ｄはシアンのトナー像を形成する。画像形成ユニット１０ａ〜１０ｄは、像担持体としての感光体ドラム１１ａ〜１１ｄを有している。各感光体ドラム１１ａ〜１１ｄの直下には、帯電器１２ａ〜１２ｄが配置され、各感光体ドラム１１ａ〜１１ｄの一側方には、現像装置１３ａ〜１３ｄが配置され、各感光体ドラム１１ａ〜１１ｄの直上には、一次転写ローラー１４ａ〜１４ｄが配置され、各感光体ドラム１１の他側方には、感光体ドラム１１の周面をクリーニングするクリーニング部（以下、クリーニング装置という）１５ａ〜１５ｄが配置されている。
【００３０】
そして、各感光体ドラム１１ａ〜１１ｄは、帯電器１２によって周面が一様に帯電され、当該帯電後の感光体ドラム１１の周面に対して、上記コンピューター等から入力された画像データーに基づく各色に対応したレーザー光が露光装置４から照射され、各感光体ドラム１１ａ〜１１ｄの周面に静電潜像が形成される。かかる静電潜像に現像装置１３から現像剤が供給されて、各感光体ドラム１１ａ〜１１ｄの周面に、イエロー、マゼンタ、シアン、ブラックのトナー像が形成される。これらトナー像は、一次転写ローラー１４に印加された転写バイアスにより中間転写ベルト５にそれぞれ重ねて転写される。
【００３１】
中間転写ベルト５の上側に配置された上記４つのトナーコンテナ５０ａ〜５０ｄには、ぞれぞれ、ブラック、イエロー、マゼンタ、シアンのトナーが収容されている。そして、各トナーコンテナ５０ａ〜５０ｄは、それぞれに対応する色の現像装置１３にトナーを供給するように構成されている。各トナーコンテナ５０ａ〜５０ｄは、画像形成装置１の前後方向に長い中空状のケース体からなる。各トナーコンテナ５０ａ〜５０ｄは、長手方向の両端部が画像形成装置本体２に形成された係合溝２ａ〜２ｄに（図２参照）に係合することで該装置本体２に装着される。
【００３２】
上記中間転写ベルト５の右側端部付近には二次転写ローラー１６が設けられている。二次転写ローラー１６は、定着部８の下側に中間転写ベルト５と当接した状態で配置されている。二次転写ローラー１６は、用紙貯留部６又は手差し給紙部７から用紙搬送路１７を搬送される記録紙Ｐを中間転写ベルト５との間で挟持する。二次転写ローラー１６には転写バイアスが印加されており、この転写バイアスにより中間転写ベルト５上のトナー像が記録紙Ｐに転写される。
【００３３】
定着部８は、加熱ローラー１８と加圧ローラー１９とを備え、これら加熱ローラー１８と加圧ローラー１９とにより記録紙Ｐを挟持して加熱及び加圧し、記録紙Ｐに転写されたトナー像を記録紙Ｐに定着させる。定着処理後の記録紙Ｐは、用紙排出部９に排出される。尚、図１中の符号２０は、両面印刷時に定着部８から排出された記録紙Ｐを反転させるための反転搬送路である。
【００３４】
図３に示すように、中間転写ユニット３０は、金属製のフレーム部材３１を有している。フレーム部材３１は、一対の側方フレーム部３２と上側フレーム部３３とを有している。一対の側方フレーム部３２は、画像形成装置１の前後方向に互いに間隔を空けて配置されている。一対の側方フレーム部３２には駆動ローラー３４及びテンションローラー３５が回動可能に支持されている。駆動ローラー３４及びテンションローラー３５は、画像形成装置１の左右方向に互いに間隔を空けて配置されている。上記中間転写ベルト５は、この駆動ローラー３４及びテンションローラー３５に掛け回されている。フレーム部材３１の左側端部には、上記中間転写ベルト５の外周面に付着した残トナーを除去するためのファーブラシ３６ａとクリーニングローラー３６ｂとが支持されている。ファーブラシ３６ａは、テンションローラー３５に対して中間転写ベルト５を挟んで対向して配置されていて、該中間転写ベルト５の外周面に当接している。クリーニングローラー３６ｂは、周面がファーブラシ３６ａの周面に当接するように配置されている。そうして、クリーニングローラー３６ｂは、ファーブラシ３６ａに付着したトナーを除去する。
【００３５】
上記上側フレーム部３３は、一対の側方フレーム部３２に跨ってその上面に固定されている。上側フレーム部３３は、中間転写ベルト５の上面全体を覆うように形成されている。上側フレーム部３３の上面には、トナーコンテナ５０ａ〜５０ｄの下端部を受け入れる凹部３７ａ〜３７ｄが形成されている。各凹部３７ａ〜３７は、各トナーコンテナ５０ａ〜５０ｄの装着位置に対応して、中間転写ベルト５の進行方向に互いに間隔を空けて形成されている。各凹部３７ａ〜３７ｄは、平面視で中間転写ベルト５の進行方向に直交するベルト幅方向（前後方向）に延びている。各凹部３７ａ〜３７ｄは、ベルト幅方向から見て上側に開放している。各凹部３７ａ〜３７ｄは、図４に拡大して示すように、一対の側壁部３８と底壁部３９とによって形成されている。一対の側壁部３８は、左右方向（ベルト進行方向）において対向している。右側の側壁部３８は鉛直に配置されているのに対し、左側の側壁部３８は、コンテナ５０ａ〜５０ｄの傾斜に対応して、右側に向かって下側に傾斜している。底壁部３９は、一対の側壁部３８の下端部同士を連結している。
【００３６】
図４及び図５に示すように、最も左側に位置する凹部３７ｄには通風孔４０が設けられている。この凹部３７ｄは、ファーブラシ３６ａの上側に位置している。通風孔４０は、凹部３７ｄを形成する左側の側壁部３８に形成されている。この凹部３７ｄに対し側壁部３８を挟んで反対側には、中空状の通風路４１が形成されている。
【００３７】
上記通風孔４０は、ベルト幅方向に延びる長孔状の貫通孔である。通風孔４０の大きさは、例えば小指から人差し指までの四本が丁度入る程度か又はそれよりもやや大きめに設定されている。通風孔４０は、左側の側壁部３８におけるベルト幅方向の両端部を除く中間部の全体に亘って形成されている。この両端部（つまり側壁部３８における通風孔４０のベルト幅方向の両側に隣接する部分）は、トナーコンテナ５０ｄの挿入をガイドするガイド壁部４２として機能する。
【００３８】
また、図６に示すように、通風孔４０は、左側の側壁部３８の上端部を残して形成されている。この上端部は、ユーザーが指で掴むことができる持手部４３として機能する。この持手部４３の先端部４３ａは、エッジ部分がＲ面取りされている。
【００３９】
図４及び図５に戻って、通風路４１は、通風孔４０を介して凹部３７ｄに連通している。通風孔４０は、図５に示すように、前後方向（ベルト幅方向）に延びている。通風孔４０は、トナーコンテナ５０ｄの下端部の左側から下側に潜り込むように形成されている（図４参照）。通風孔４０の後端は閉塞されているのに対し前端は開口している。画像形成装置本体２の前側壁の近傍には、この通風孔４０の開口に対向して送風ファン６０（図５参照）が配置されている。送風ファン６０は、本実施形態では中間転写ユニット３０とは別体で構成されていて、画像形成装置本体２に固定されている。尚、送風ファン６０を中間転写ユニット３０に一体化するようにしてもよい。送風ファン６０は、画像形成装置本体２の前側壁に形成された吸気孔２ｂ（図２参照）から外部の冷えた空気を吸い込んで通風孔４０内に供給する。供給された空気は通風孔４０から凹部３７ｄ内に吹き出される。これにより、凹部３７ｄに設けられたトナーコンテナ５０ｄの下端部を、通風孔４０から吹き出される空気流によって効率良く冷却することができる。したがって、トナーコンテナ５０ｄ内のトナーが、画像形成装置本体２内の各種熱源からの熱で凝縮するのを抑制することができる。また上記実施形態によれば、冷却風の通路である通風路４１が中間転写ユニット３０に一体形成されているので、画像形成装置１全体を小型化することができる
また、上記実施形態では、通風孔４０は、人の手の指（上記実施形態では小指から人指し指までの４本）が入る程度の大きさに形成されている。したがって、中間転写ユニット３０の着脱作業に際して、通風孔４０から例えば片手の指４本を入れて持手部４３（図６参照）を掴むことで、中間転写ユニット３０全体を容易に持ち上げることができる。
【００４０】
しかも上記実施形態では、この持手部４３の先端部４３ａのエッジはＲ面取りされているので、ユーザーは手に痛みを感じることなく持手部４３を掴むことができる。
【００４１】
また、上記実施形態では、中間転写ベルト５に当接するファーブラシ３６ａの上側に位置する凹部３７ｄに通風孔４０を形成するようにしている。
【００４２】
これにより、ファーブラシ３６ａと中間転写ベルト５との摩擦熱によりトナーコンテナ５０ａの下端部が加熱されてトナーの凝縮が生じるのを確実に抑制することができる。
【００４３】
また、上記実施形態では、上記凹部３７ｄの側壁部３８のうち通風孔４０のベルト幅方向の両端に隣接する部分は、トナーコンテナ５０ｄの挿入をガイドするガイド壁部４２とされている。
【００４４】
これによれば、トナーコンテナ５０ｄの両端部を画像形成装置本体２の係合溝２ｄに挿入する際に、ガイド壁部４２によってトナーコンテナ５０ｄをガイドすることができる。よって、ユーザーによるトナーコンテナ５０ｄの挿入作業を容易化することができる。また、トナーコンテナ５０ｄの挿入をガイドするガイド部材を画像形成装置本体２に別途、設ける必要もないので、その分だけ製品コストを低減することができる。
【００４５】
《実施形態２》
図７〜図９は実施形態２を示している。実施形態２は、通風路４１内の空気を通風孔４０へと案内する縦板部４４を有する点で上記実施形態１とは異なる。尚、図４〜図６と同じ構成要素には同じ符号を付してその詳細な説明を省略する。
【００４６】
すなわち、本実施形態では、通風路４１の上壁面における通風孔４０に隣接する部分に複数の縦板部４４が形成されている。複数の縦板部４４は、通風路４１の上壁面から下方に向かって鉛直に垂下している。複数の縦板部４４は、前後方向（ベルト幅方向）に互いに間隔を空けて配置されている。互いに隣接する縦板部４４同士の間隔は、通風路４１の内方側から通風孔４０側に向かうにしたがって増加している（図８参照）。
【００４７】
この構成によれば、通風路４１内の空気を、複数の縦板部４４によって通風孔４０に確実に案内することができる。したがって、通風孔４０から吹き出される空気流量を十分に確保して、トナーコンテナ５０ｄの下端部を確実に冷却することができる。また、各縦板部４４の間隔が通風孔４０側に向かうほど広くなっているので、ディフューザー効果によって、通風路４１内の空気を通風孔４０の長手方向の全体から万遍なく空気を吹き出させることができる。よって、トナーコンテナ５０ｄの下端部全体を均一に冷却することができる。延いては、トナーコンテナ５０ｄ内のトナーが局所的に凝縮するのを防止することができる。
【００４８】
ここで、図９に示すように、各縦板部４４の下端面は、通風孔４０側から通風路４１の内方側に向かって上側に湾曲していることが好ましい。
【００４９】
この構成によれば、中間転写ユニット３０の着脱時に、通風孔４０から入れた手の指を適度に曲げてその腹を各縦板部４４の下端面に容易に押し当てることができる。よって、中間転写ユニット３０の着脱作業をより一層容易に行うことができる。
【００５０】
《他の実施形態》
上記実施形態では、通風孔４０から吹き出される空気流は最も左側のトナーコンテナ５０ｄにのみ吹き付けられるようになっているが、これに限ったものではない。すなわち、図１０に示すように、上側フレーム部３３に各凹部３７ａ〜３７ｄ同士を連通させる連通孔４５を形成するようにしてもよい。こうすることで、通風孔４５より凹部３７ｄに供給される空気流を各連通孔４５を介して他の凹部３７ａ〜３７ｄに供給することができる（図１０の黒矢印参照）。したがって、各３７ａ〜３７ｄに設けられたトナーコンテナ５０ａ〜５０ｄ全てを万遍なく冷却することができる。
【００５１】
上記実施形態２では、縦板部４４の下端面を厚さ方向から見て下側に凸となる湾曲面状に形成しているが、これに限ったものではなく、例えば上側に凹む湾曲面状に形成してもよい。これにより、指先の腹がこの凹みにフィットして中間転写ユニット３０を持ち上げ易くなる。
【００５２】
また、本発明は上記各実施形態に限定されるものでなく、本発明には、これらの各実施形態を適宜組み合わせた構成が含まれる。
【産業上の利用可能性】
【００５３】
以上説明したように、本発明は、画像形成装置について有用である。
【符号の説明】
【００５４】
１     画像形成装置
２     装置本体
５     中間転写ベルト
３０   中間転写ユニット
３１   フレーム部材
３３   上側フレーム部
３４   駆動ローラー
３５   テンションローラー
３６ａ ファーブラシ（クリーニング部材）
３６ｂ クリーニングローラー
３７ａ 凹部
３７ｂ 凹部
３７ｃ 凹部
３７ｄ 凹部
３８   側壁部（通風孔が形成された壁部）
４０   通風孔
４１   通風路
４２   ガイド壁部
４４   縦板部
４５   連通孔
５０ａ トナーコンテナ
５０ｂ トナーコンテナ
５０ｃ トナーコンテナ
５０ｄ トナーコンテナ
６０   送風ファン
【図１】
2016122088.tif 000003
【図２】
2016122088.tif 000004
【図３】
2016122088.tif 000005
【図４】
2016122088.tif 000006
【図５】
2016122088.tif 000007
【図６】
2016122088.tif 000008
【図７】
2016122088.tif 000009
【図８】
2016122088.tif 000010
【図９】
2016122088.tif 000011
【図１０】
2016122088.tif 000012